(57)【要約】【課題】  加熱コイルとコイルベース間の固定が確実で、絶縁性に優れ、加熱効率の良好な加熱コイルを得ることにより信頼性の高い誘導加熱調理器を提供する。【解決手段】  絶縁層が被覆された導体の素線もしくは前記素線を束ねた導線を撚り合わせて構成された集合線８の外周に融点の高いフッ素樹脂であるテトラフルオロエチレン・パーフルオロアルキルビニルエーテル共重合体のＰＦＡで構成された絶縁層９を設け、その外周に融点の高いポリフェニレンスルファイド樹脂のＰＰＳで構成された接着層１０を設ける。さらに接着層１０の外周の一部に融点の低いフッ素樹脂であるテトラフルオロエチレン・ヘキサフルオロプロピレン共重合体のＦＥＰまたはテトラフルオロエチレン・エチレン共重合体のＥＴＦＥで構成された溶着層１１を設けたコイル導線７で、加熱コイル３を構成する。【選択図】図３
2009245675.tif 000002
【特許請求の範囲】
【請求項１】
コイルベースに保持される加熱コイルに高周波電力を供給して被加熱物を加熱する誘導加熱調理器において、
前記加熱コイルは、絶縁層が被覆された導体の素線もしくは前記素線を束ねた導線を撚り合わせて構成された集合線の外周に融点の高いフッ素樹脂であるテトラフルオロエチレン・パーフルオロアルキルビニルエーテル共重合体のＰＦＡで構成された絶縁層が設けられ、さらにその外周に融点の高いポリフェニレンスルファイド樹脂のＰＰＳで構成された接着層が設けられ、さらにその外周の一部に融点の低いフッ素樹脂であるテトラフルオロエチレン・ヘキサフルオロプロピレン共重合体のＦＥＰまたはテトラフルオロエチレン・エチレン共重合体のＥＴＦＥで構成された溶着層が設けられたコイル導線で構成され、前記コイル導線を巻回した後、加熱して隣接した前記コイル導線の溶着層どうしを溶融固化させて、前記加熱コイルの形状を安定化するとともに、前記接着層と前記コイルベース間を接着剤で接着して保持させる構成とした誘導加熱調理器。
【請求項２】
請求項１の誘導加熱調理器において、前記溶着層はテープで構成し、前記接着層の外周にスパイラル状にギャップ巻きする構成とした誘導加熱調理器。
【発明の詳細な説明】
【技術分野】
【０００１】
本発明は、一般家庭の厨房等で加熱コイルによる誘導加熱を熱源としてトッププレート上の鍋などの被加熱物を加熱する誘導加熱調理器に関し、特に加熱コイルに関するものである。
【背景技術】
【０００２】
従来の誘導加熱調理器の加熱コイルは、エナメル線等の絶縁層が被覆された導体の素線を複数本束ねて集合線とし、この集合線を撚り合わせた一束のリッツ線を、略同一円周上に複数段巻回して円盤状に成形して構成される。
【０００３】
この加熱コイルを接着や樹脂部品等を介してのネジ止めによって保持した樹脂製のコイルベースをトッププレートの下方に配置し、加熱コイルに高周波電力を供給してトッププレートに載置された被加熱物である鉄製はもちろん銅やアルミニウム製の鍋等を誘導加熱する。
【０００４】
鉄製の鍋を誘導加熱する場合は、加熱コイルに２０〜４０ｋＨｚの高周波電力を供給するが、銅やアルミニウム製の鍋等を加熱する場合は、加熱コイルに前記周波数より高い周波数の４０〜１００ｋＨｚの高周波電力を供給する。
【０００５】
加熱コイルにこのような高周波電力を供給すると、いわゆる表皮効果により導体の断面積中の電流密度が導体外周にだけ流れるようになり、実効的な抵抗値が上昇するため、リッツ線の素線の径を細くして多数本束ねて撚り合わせるようにしている。
【０００６】
このような、絶縁層が被覆された導体の素線を複数本束ねて集合線とし、この集合線を撚り合わせてコイル導線を構成し、略同一円周上に複数段巻回して円盤状に成形し、鉄はもちろん、銅やアルミニュウム製の鍋等を加熱することができるように構成した加熱コイルにおいて、コイル導線の外周の一部もしくは全体に融点の高いフッ素樹脂であるテトラフルオロエチレン・パーフルオロアルキルビニルエーテル共重合体のＰＦＡの絶縁体を構成し、さらにその外側に融点の低いフッ素樹脂であるテトラフルオロエチレン・エチレン共重合体のＥＴＦＥ又はテトラフルオロエチレン・ヘキサフルオロプロピレン共重合体のＦＥＰの絶縁体を構成したものを略同一円周上に複数段巻回して円盤状に成形した後、加熱してコイル導線の一番外側に構成した融点の低いフッ素樹脂のＥＴＦＥ又はＦＥＰを溶融固化して、コイル導線の隣接した絶縁体どうしを固着して加熱コイルの形状を安定化するものが提案されている（例えば、特許文献１参照）。
【０００７】
【特許文献１】特開２００４−４７４８２号公報
【発明の開示】
【発明が解決しようとする課題】
【０００８】
しかしながら、上記の従来技術におけるコイル導線の外周に融点の異なるフッ素樹脂のＰＦＡとフッ素樹脂のＥＴＦＥ又はＦＥＰの２種類の樹脂から成る絶縁体を設けたコイル導線を巻回した加熱コイルは、コイル導線の外周のフッ素樹脂が非粘着性を有しているため、加熱コイルをコイルベースに保持しようとすると、接着剤によるコイルベースへの接着が不可能のため、樹脂部品等を用いてコイルベースにネジ止めする等の固定方法とする必要があった。したがって、部品数が増えたり、固定作業が面倒となりコストの高いものであった。
【０００９】
また、加熱コイルをコイルベースに保持させるときの作業のバラつき等により加熱コイルとコイルベース間が完全に固定されないと、加熱コイルと被加熱物との位置関係にバラつきが生じ、加熱効率が悪化したり、加熱コイルが振動して異音が発生したりする等の問題があった。
【００１０】
本発明は、上記従来の課題を解決するものであり、加熱コイルとコイルベース間の固定が確実で、絶縁性に優れた、加熱効率の良好な加熱コイルを得ることにより品質の安定した信頼性の高い誘導加熱調理器を提供することを目的とする。
【課題を解決するための手段】
【００１１】
本発明は上記の問題を解決するためになされたものであり、コイルベースに保持される加熱コイルに高周波電力を供給して被加熱物を加熱する誘導加熱調理器において、前記加熱コイルは、絶縁層が被覆された導体の素線もしくは前記素線を束ねた導線を撚り合わせて構成された集合線の外周に融点の高いフッ素樹脂であるテトラフルオロエチレン・パーフルオロアルキルビニルエーテル共重合体のＰＦＡで構成された絶縁層が設けられ、さらにその外周に融点の高いポリフェニレンスルファイド樹脂のＰＰＳで構成された接着層が設けられ、さらにその外周の一部に融点の低いフッ素樹脂であるテトラフルオロエチレン・ヘキサフルオロプロピレン共重合体のＦＥＰまたはテトラフルオロエチレン・エチレン共重合体のＥＴＦＥで構成された溶着層を設け、前記コイル導線を巻回した後加熱して、隣接した前記コイル導線の溶着層どうしを溶融固化させて、前記加熱コイルの形状を安定化するとともに、前記接着層と前記コイルベース間を接着剤で接着して保持させる構成としたものである。
【発明の効果】
【００１２】
本発明の誘導加熱調理器は、上記のように構成したことにより、加熱コイルとコイルベース間の固定が確実で、絶縁性に優れた、加熱効率の良好な品質の安定した加熱コイルを得ることができる。
【発明を実施するための最良の形態】
【００１３】
以下、本発明の一実施例を、図面を参照して説明する。図１は本発明の一実施例を示す誘導加熱調理器の要部縦断面図、図２は同じく加熱コイルと、コイルベースの構成を示す斜視図、図３は同じくコイル導線の断面図、図４は同じくコイル導線の斜視図、図５は同じく加熱コイルとコイルベースの断面図である。
【００１４】
図において、略同一円周上に複数段巻回して円盤状に巻かれた加熱コイル３は、絶縁物であるポリフェニレンスルファイド樹脂のＰＰＳで構成されるコイルベース４に保持され、トッププレート２の下方に設けられている。
【００１５】
トッププレート２に載置された鍋等の被加熱物１は、加熱コイル３にインバータ回路（図示せず）で高周波電力を供給することにより誘導加熱される。
【００１６】
加熱コイル３は、コイルベース４の中心部分および最外周部分に設けられたリブ５の内側にはめ込むように実装される。
【００１７】
コイルベース４の下側にはフェライト等の磁性体６が設けられ、加熱コイル３から発生する磁束がコイルベース４の下方に広がって、近傍にある金属や電子部品に対して誤加熱するのを防止し、磁力線に起因するノイズの影響を電子部品が受けないようにしている。
【００１８】
加熱コイル３が実装されたコイルベース４は複数のバネ（図示しない）によりトッププレート２方向に付勢され、加熱コイル３がトッププレート２に対して略並行となるように構成されている。
【００１９】
加熱コイル３を構成するコイル導線７は、エナメル等で絶縁被覆された、例えば直径０.０５mmの導体の素線を複数本束ね、その束ねた導線を撚り合わせて集合線８を構成し、その集合線８の外周に絶縁特性が優れた融点の高いフッ素樹脂であるテトラフルオロエチレン・パーフルオロアルキルビニルエーテル共重合体のＰＦＡ（融点：３１０℃）で構成された絶縁層９が押出し成形により設けられ、さらにその絶縁層９の外側に融点の高いポリフェニレンスルファイド樹脂のＰＰＳ（融点：２８０℃）で構成された接着層１０が押出し成形により設けられ、さらに接着層１０の外側に融点の低いフッ素樹脂であるテトラフルオロエチレン・ヘキサフルオロプロピレン共重合体のＦＥＰ（融点：２７０℃）またはテトラフルオロエチレン・エチレン共重合体のＥＴＦＥ（融点：２６０℃）で構成された厚さ約０.０１mm，幅約３mmのテープ状の溶着層１１が、図４に示すようにコイル導線７の長さ方向に約１５mmの巻きピッチにより一定のギャップを有した状態でスパイラル状に巻かれている。
【００２０】
なお、接着層１０の外周にフッ素樹脂のＦＥＰ又はＥＴＦＥで構成されたテープ状の溶着層１１を巻回する構成としたが、接着層１０の外周の一部にフッ素樹脂のＦＥＰ又はＥＴＦＥで構成された溶着層を設ける構成としても良い。
【００２１】
そして、加熱コイル３を製作する際は、コイル導線７を略同一円周上に複数段巻回して円盤状に成形した後、加熱することにより、融点の低いフッ素樹脂のＦＥＰ又はＥＴＦＥで構成したテープ状の溶着層１１を溶融固化して、隣接したコイル導線７の溶着層１１どうしを固着させて、加熱コイルの形状を安定化させている。
【００２２】
そして、このとき溶着層１０の内側にある融点の高いフッ素樹脂のＰＦＡで構成された絶縁層９は変形することなく、安定した信頼性の高い絶縁性を得ることができる。
【００２３】
形状が安定化した加熱コイル３は、図５に示すようにコイルベース４の中心部のリブ５と最外周部のリブ５との間にはめ込まれ、コイル導線７の外周に構成されたＰＰＳの接着層１０とコイルベース４間を例えばシリコン接着剤等の接着剤１２で接着することにより固着され保持される。なお、ポリフェニレンスルファイド樹脂のＰＰＳは粘着性を有しているため接着剤１２により接着することができるものである。
【００２４】
このように、コイル導線７の外周にフッ素樹脂の絶縁体を構成したものは耐熱性や絶縁特性が非常に優れたものであるが、フッ素樹脂は非粘着性を有しているため、このままコイルベース４へ実装しようとすると接着剤による接着は不可能であり、樹脂部品等を用いてネジ止めによる固定方法にすると作業が面倒でコストが高いものとなるが、ＰＰＳで構成した接着層１０とコイルベース４間を接着剤１２で接着する構成とすることにより、簡単な構成で加熱コイル３をコイルベース４に固着させることができ安価とすることができる。
【００２５】
また、コイル導線７に設けられた接着層１０は絶縁層９の外側に押し出し成形により設けられているので、加熱コイル３に成形した後接着層１０とコイルベース４間を接着剤１２により接着させた場合、コイルベース４とコイル導線７の間が強固に固着されるため、加熱コイル３に高周波電力を供給して加熱する場合加熱コイル３が振動して異音が発生することがない。
【図面の簡単な説明】
【００２６】
【図１】本発明の一実施例を示す誘導加熱調理器の要部縦断面図である。
【図２】同じく加熱コイルと、コイルベースの構成を示す斜視図である。
【図３】同じくコイル導線の断面図である。
【図４】同じくコイル導線の斜視図である。
【図５】同じく加熱コイルとコイルベースの断面図である。
【符号の説明】
【００２７】
１  被加熱物
３  加熱コイル
４  コイルベース
７  コイル導線
８  集合線
９  絶縁層
１０  接着層
１１  溶着層
１２  接着剤
【図１】
2009245675.tif 000003
【図２】
2009245675.tif 000004
【図３】
2009245675.tif 000005
【図４】
2009245675.tif 000006
【図５】
2009245675.tif 000007